(57)【要約】【課題】ろ過処理装置の構造が簡単であり、樹脂成分を含む汚染水を処理した場合でも逆浸透膜モジュールが閉塞することなく安定したろ過処理運転を行うことができる、１又は複数の逆浸透膜モジュールを使用した前記汚染水用のろ過処理装置並びにその運転方法の提供。【解決手段】汚染水タンク１００内の汚染水を、撹拌タンク１１０に送り凝集剤を添加して懸濁液を得る。前記懸濁液は懸濁液ろ過器１２０でろ過して、被処理水タンク１内に被処理水を送る。前記被処理水を被処理水ライン２から第１逆浸透膜モジュール１０、第２逆浸透膜モジュール２０、第３逆浸透膜モジュール３０、第４逆浸透膜モジュール４０の順に通液させて、各逆浸透膜モジュールでろ過する。各逆浸透膜モジュールでろ過したろ過液を各ろ過水ライン１２、２２、３２、４２からろ過水タンク４に送り、第４逆浸透膜モジュール４０を通液した被処理水を第４濃縮水ライン４１から被処理水タンク１に戻す。【選択図】図１
2019126767.tif 000002
【特許請求の範囲】
【請求項１】
汚染水タンク、撹拌タンク、懸濁液ろ過器、被処理水タンク、及び１〜３台の逆浸透膜モジュール、ろ過水タンクを備える、ろ過処理装置であって、
前記汚染水タンクと前記撹拌タンクが汚染水ラインで接続され、
前記撹拌タンクが、撹拌機及び凝集剤供給装置を備えており、前記撹拌タンクと前記懸濁液ろ過器が懸濁液引き抜きラインで接続され、
前記懸濁液ろ過器と前記被処理水タンクが懸濁液ろ過水ラインで接続され、
前記逆浸透膜モジュールが、筒状の外部ケーシング内に逆浸透膜の管状膜エレメントが複数収容されているものであり、
前記筒状の外部ケーシングが、被処理水入口、濃縮水出口及びろ過水出口を有しているものであり、
前記複数の管状膜エレメントが、それぞれの両端部が通水可能に接続され、全体として１本の管状膜エレメントになるように形成されたものであり、前記１本の管状膜エレメントの第１端開口部が前記被処理水入口と接続され、前記第１端開口部とは反対側の第２端開口部が前記濃縮水出口と接続されているものであり、
１〜３台の前記逆浸透膜モジュールが、前記逆浸透膜モジュールの数に応じて下記のように組み合わされている、樹脂成分を含む汚染水用のろ過処理装置。
（前記逆浸透膜モジュールが１台の場合）
第１逆浸透膜モジュールの第１被処理水入口と前記被処理水タンクが被処理水ラインで接続され、
第１逆浸透膜モジュールの第１濃縮水出口と前記被処理水タンクが第１濃縮水ラインで接続され、
第１逆浸透膜モジュールの第１ろ過水出口と前記ろ過水タンクが第１ろ過水ラインで接続されている。
（前記逆浸透膜モジュールが２台の場合）
第１逆浸透膜モジュールの第１被処理水入口と前記被処理水タンクが被処理水ラインで接続され、
第１逆浸透膜モジュールの第１濃縮水出口と第２逆浸透膜モジュールの第２被処理水入口が第１濃縮水ラインで接続され、
第１逆浸透膜モジュールの第１ろ過水出口と前記ろ過水タンクが第１ろ過水ラインで接続され、
第２逆浸透膜モジュールの第２濃縮水出口と前記被処理水タンクが第２濃縮水ラインで接続され、
第２逆浸透膜モジュールの第２ろ過水出口と前記ろ過水タンクが第２ろ過水ラインで接続されている。
（前記逆浸透膜モジュールが３台の場合）
第１逆浸透膜モジュールの第１被処理水入口と前記被処理水タンクが被処理水ラインで接続され、
第１逆浸透膜モジュールの第１濃縮水出口と第２逆浸透膜モジュールの第２被処理水入口が第１濃縮水ラインで接続され、
第１逆浸透膜モジュールの第１ろ過水出口と前記ろ過水タンクが第１ろ過水ラインで接続され、
第２逆浸透膜モジュールの第２濃縮水出口と第３逆浸透膜モジュールの第３被処理水入口が第２濃縮水ラインで接続され、
第２逆浸透膜モジュールの第２ろ過水出口と前記ろ過水タンクが第２ろ過水ラインで接続され、
第３逆浸透膜モジュールの第３濃縮水出口と前記被処理水タンクが第３濃縮水ラインで接続され、
第３逆浸透膜モジュールの第３ろ過水出口と前記ろ過水タンクが第３ろ過水ラインで接続されている。
【請求項２】
請求項１に記載のろ過処理装置の運転方法であって、
前記汚染水タンク内の樹脂成分を含む汚染水を、前記撹拌タンクに通液させ、前記撹拌タンク内の前記汚染水に凝集剤を添加して混合することで懸濁液を得る工程１、
前記懸濁液を前記懸濁液ろ過器に送ってろ過し、ろ過して得られた被処理水を前記被処理水タンクに送る工程２、
前記被処理水タンク内の前記被処理水を、１又は複数の前記逆浸透膜モジュールに通液させて、各逆浸透膜モジュールでろ過する工程３を有する、ろ過処理装置の運転方法。
【請求項３】
汚染水タンク、撹拌タンク、懸濁液ろ過器、被処理水タンク、及び複数の逆浸透膜モジュール、ろ過水タンクを備える、ろ過処理装置であって（以下においてｎは４〜１０の正の整数であり、1つのろ過処理装置において、ｎは同じ数を示すものである）、
前記汚染水タンクと前記撹拌タンクが汚染水ラインで接続され、
前記撹拌タンクが、撹拌機及び凝集剤供給装置を備えており、前記撹拌タンクと前記懸濁液ろ過器が懸濁液引き抜きラインで接続され、
前記懸濁液ろ過器と前記被処理水タンクが懸濁液ろ過水ラインで接続され、
前記逆浸透膜モジュールが、筒状の外部ケーシング内に逆浸透膜の管状膜エレメントが複数収容されているものであり、
前記筒状の外部ケーシングが、被処理水入口、濃縮水出口及びろ過水出口を有しているものであり、
前記複数の管状膜エレメントが、それぞれの両端部が通水可能に接続され、全体として１本の管状膜エレメントになるように形成されたものであり、前記１本の管状膜エレメントの第１端開口部が前記被処理水入口と接続され、前記第１端開口部とは反対側の第２端開口部が前記濃縮水出口と接続されているものであり、
前記逆浸透膜モジュールが、第１逆浸透膜モジュールから第ｎ逆浸透膜モジュールまでの合計でｎ台の前記逆浸透膜モジュールの組み合わせからなるものであり、
第１逆浸透膜モジュールから第ｎ逆浸透膜モジュールまでの組み合わせが、下記の第１段から第ｎ段までのように組み合わせられている、樹脂成分を含む汚染水用のろ過処理装置。
（第１段）
第１逆浸透膜モジュールの第１被処理水入口と前記被処理水タンクが被処理水ラインで接続され、
第１逆浸透膜モジュールの第１濃縮水出口と第２逆浸透膜モジュールの第２被処理水入口が第１濃縮水ラインで接続され、
第１逆浸透膜モジュールの第１ろ過水出口と前記ろ過水タンクが第１ろ過水ラインで接続されている。
（第２段から第ｎ−１段まで）
前段の逆浸透膜モジュールの濃縮水出口と逆浸透膜モジュールの被処理水入口が前段の濃縮水ラインで接続され、
逆浸透膜モジュールの濃縮水出口と次段の逆浸透膜モジュールの被処理水入口が濃縮水ラインで接続され、
逆浸透膜モジュールのろ過水出口と前記ろ過水タンクがろ過水ラインで接続されている。
（第ｎ段）
第ｎ−１逆浸透膜モジュールの第ｎ−１濃縮水出口と第ｎ逆浸透膜モジュールの第ｎ被処理水入口が第ｎ−１濃縮水ラインで接続され、
第ｎ逆浸透膜モジュールの第ｎ濃縮水出口と被処理水タンクが第ｎ濃縮水ラインで接続され、
第ｎ逆浸透膜モジュールの第ｎろ過水出口と前記ろ過水タンクが第ｎろ過水ラインで接続されている。
【請求項４】
前記ろ過処理装置が、被処理水の通液方向を交互に変更可能な通液方向変更具を備える、請求項３に記載のろ過処理装置。
【請求項５】
前記通液方向変更具が、複数の三方弁からなるものである、請求項４に記載のろ過処理装置。
【請求項６】
前記ろ過処理装置が、予備被処理水ライン及び予備濃縮水ラインを備え、
前記予備被処理水ラインの第１端開口部が前記被処理水ライン又は前記被処理水タンクに接続され、前記第１端開口部とは反対側の第２端開口部が第２逆浸透膜モジュールの第２被処理水入口から第ｎ逆浸透膜モジュールの第ｎ被処理水入口までの何れかと接続可能であり、
前記予備濃縮水ラインの第１端開口部が前記第ｎ濃縮水ライン又は前記被処理水タンクに接続され、前記第１端開口部とは反対側の第２端開口部が第１逆浸透膜モジュールの第１濃縮水出口から第ｎ−１逆浸透膜モジュールの第ｎ−１濃縮水出口までの何れかと接続可能である、
請求項３に記載のろ過処理装置。
【請求項７】
前記ろ過処理装置が、被処理水の通液方向を交互に変更可能な通液方向変更具を備える、請求項６に記載のろ過処理装置。
【請求項８】
前記通液方向変更具が、複数の三方弁からなるものである、請求項７に記載のろ過処理装置。
【請求項９】
請求項３に記載のろ過処理装置の運転方法であって、
前記汚染水タンク内の樹脂成分を含む汚染水を、前記撹拌タンクに通液させ、前記撹拌タンク内の前記汚染水に凝集剤を添加して混合することで懸濁液を得る工程１、
前記懸濁液を前記懸濁液ろ過器に送ってろ過し、ろ過して得られた被処理水を前記被処理水タンクに送る工程２、
前記被処理水タンク内の前記被処理水を、第１逆浸透膜モジュールから第ｎ逆浸透膜モジュールの順に通液させて、各逆浸透膜モジュールでろ過する工程３を有する、ろ過処理装置の運転方法。
【請求項１０】
請求項４又は５に記載のろ過処理装置の運転方法であって、
前記汚染水タンク内の樹脂成分を含む汚染水を、前記撹拌タンクに通液させ、前記撹拌タンク内の前記汚染水に凝集剤を添加して混合することで懸濁液を得る工程１、
前記懸濁液を前記懸濁液ろ過器に送ってろ過し、ろ過して得られた被処理水を前記被処理水タンクに送る工程２、
前記被処理水タンク内の前記被処理水を、第１逆浸透膜モジュールから第ｎ逆浸透膜モジュールの順に通液させて、各逆浸透膜モジュールでろ過する工程３、及び
前記通液方向変更具により、前記被処理水の通液方向を変更して、前記被処理水タンク内の前記被処理水を、第ｎ逆浸透膜モジュールから第１逆浸透膜モジュールの順に通液させて、各逆浸透膜モジュールでろ過する工程４
を有する、ろ過処理装置の運転方法。
【請求項１１】
請求項６に記載のろ過処理装置の運転方法であって、
前記汚染水タンク内の樹脂成分を含む汚染水を、前記撹拌タンクに通液させ、前記撹拌タンク内の前記汚染水に凝集剤を添加して混合することで懸濁液を得る工程１、
前記懸濁液を前記懸濁液ろ過器に送ってろ過し、ろ過して得られた被処理水を前記被処理水タンクに送る工程２、
前記被処理水タンク内の前記被処理水を、第１逆浸透膜モジュールから第ｎ逆浸透膜モジュールの順に通液させて、各逆浸透膜モジュールでろ過する工程３、
前記予備被処理水ラインの前記第２端開口部を第２逆浸透膜モジュールの第２被処理水入口から第ｎ逆浸透膜モジュールの第ｎ被処理水入口までの何れかと接続し、前記被処理水タンク内の前記被処理水を、前記予備被処理水ラインに通液させて、各逆浸透膜モジュールに前記被処理水を送り、各逆浸透膜モジュールでろ過する工程５、
前記予備濃縮水ラインの前記第２端開口部を、第１逆浸透膜モジュールの第１濃縮水出口から第ｎ−１逆浸透膜モジュールの第ｎ−１濃縮水出口までの何れかと接続し、前記被処理水タンク内の前記被処理水を、前記被処理水ラインに通液させて、各逆浸透膜モジュールに前記被処理水を送り、各逆浸透膜モジュールでろ過する工程６、及び
前記予備被処理水ラインの前記第２端開口部を第２逆浸透膜モジュールの第２被処理水入口から第ｎ逆浸透膜モジュールの第ｎ被処理水入口までの何れかと接続し、前記予備濃縮水ラインの前記第２端開口部を、第１逆浸透膜モジュールの第１濃縮水出口から第ｎ−１逆浸透膜モジュールの第ｎ−１濃縮水出口までの何れかと接続し、前記被処理水タンク内の前記被処理水を、前記被処理水ライン及び前記予備被処理水ラインの少なくとも何れかに通液させて、各逆浸透膜モジュールに前記被処理水を送り、各逆浸透膜モジュールでろ過する工程７
を有する、ろ過処理装置の運転方法。
【請求項１２】
請求項７又は８に記載のろ過処理装置の運転方法であって、
前記汚染水タンク内の樹脂成分を含む汚染水を、前記撹拌タンクに通液させ、前記撹拌タンク内の前記汚染水に凝集剤を添加して混合することで懸濁液を得る工程１、
前記懸濁液を前記懸濁液ろ過器に送ってろ過し、ろ過して得られた被処理水を前記被処理水タンクに送る工程２、
前記被処理水タンク内の前記被処理水を、第１逆浸透膜モジュールから第ｎ逆浸透膜モジュールの順に通液させて、各逆浸透膜モジュールでろ過する工程３、
前記通液方向変更具により、前記被処理水の通液方向を変更して、前記被処理水タンク内の前記被処理水を、第ｎ逆浸透膜モジュールから第１逆浸透膜モジュールの順に通液させて、各逆浸透膜モジュールでろ過する工程４、
前記予備被処理水ラインの前記第２端開口部を第２逆浸透膜モジュールの第２被処理水入口から第ｎ逆浸透膜モジュールの第ｎ被処理水入口までの何れかと接続し、前記被処理水タンク内の前記被処理水を、前記予備被処理水ラインに通液させて、各逆浸透膜モジュールに前記被処理水を送り、各逆浸透膜モジュールでろ過する工程５、
前記予備濃縮水ラインの前記第２端開口部を、第１逆浸透膜モジュールの第１濃縮水出口から第ｎ−１逆浸透膜モジュールの第ｎ−１濃縮水出口までの何れかと接続し、前記被処理水タンク内の前記被処理水を、前記被処理水ラインに通液させて、各逆浸透膜モジュールに前記被処理水を送り、各逆浸透膜モジュールでろ過する工程６、
前記予備被処理水ラインの前記第２端開口部を第２逆浸透膜モジュールの第２被処理水入口から第ｎ逆浸透膜モジュールの第ｎ被処理水入口までの何れかと接続し、前記予備濃縮水ラインの前記第２端開口部を、第１逆浸透膜モジュールの第１濃縮水出口から第ｎ−１逆浸透膜モジュールの第ｎ−１濃縮水出口までの何れかと接続し、前記被処理水タンク内の前記被処理水を、前記被処理水ライン及び前記予備被処理水ラインの少なくとも何れかに通液させて、各逆浸透膜モジュールに前記被処理水を送り、各逆浸透膜モジュールでろ過する工程７、
前記予備被処理水ラインの前記第２端開口部を第２逆浸透膜モジュールの第２被処理水入口から第ｎ逆浸透膜モジュールの第ｎ被処理水入口までの何れかと接続し、且つ前記通液方向変更具により、前記被処理水の通液方向を変更して、前記被処理水タンク内の前記被処理水を、第ｎ濃縮水ラインに通液させて、各逆浸透膜モジュールに前記被処理水を送り、各逆浸透膜モジュールでろ過する工程８、
前記予備濃縮水ラインの前記第２端開口部を、第１逆浸透膜モジュールの第１濃縮水出口から第ｎ−１逆浸透膜モジュールの第ｎ−１濃縮水出口までの何れかと接続し、且つ前記通液方向変更具により、前記被処理水の通液方向を変更して、前記被処理水タンク内の前記被処理水を、前記予備濃縮水ラインに通液させて、各逆浸透膜モジュールに前記被処理水を送り、各逆浸透膜モジュールでろ過する工程９、及び
前記予備被処理水ラインの前記第２端開口部を第２逆浸透膜モジュールの第２被処理水入口から第ｎ逆浸透膜モジュールの第ｎ被処理水入口までの何れかと接続し、前記予備濃縮ラインの前記第２端開口部を、第１逆浸透膜モジュールの第１濃縮水出口から第ｎ−１逆浸透膜モジュールの第ｎ−１濃縮水出口までの何れかと接続し、且つ前記通液方向変更具により、前記被処理水の通液方向を変更して、前記被処理水タンク内の前記被処理水を、第ｎ濃縮水ライン及び前記予備濃縮水ラインの少なくとも何れかに通液させて、各逆浸透膜モジュールに前記被処理水を送り、各逆浸透膜モジュールでろ過する工程１０
を有する、ろ過処理装置の運転方法。
【発明の詳細な説明】
【技術分野】
【０００１】
本発明は、１又は複数の逆浸透膜モジュールを使用した、樹脂成分を含む汚染水用のろ過処理装置並びにその運転方法に関する。
【背景技術】
【０００２】
ろ過処理に用いられる膜分離としては、特許文献１に開示されているように精密ろ過（ＭＦ）や限外ろ過（ＵＦ）の膜分離が採用されているが、近年の環境規制、排水再利用、ゼロエミッション等の環境負荷低減が要望されており、処理水質の更なる向上が望まれている。
【０００３】
ろ過処理用の膜モジュールにおいて、特許文献１に開示されているように管状膜エレメントを全体として１本の管状膜エレメントになるように形成されたものを用いた膜モジュールがあり、その詰まりにくい形状の利点を生かしてクロスフロー方式によるろ過が行われ、処理の難しい高粘度/高濁質の原液、含油廃水、果汁、食品プロセス液、中水・下水・排水処理分野における溶液の分離、濃縮処理や排水減容化処理に好ましく用いられている。
【０００４】
またろ過処理装置としては、安定したろ過処理運転を行えること、ろ過処理装置の構造が簡単であることが望まれる。
【先行技術文献】
【特許文献】
【０００５】
【特許文献１】特開２００２−２８２６５７号公報
【発明の概要】
【発明が解決しようとする課題】
【０００６】
本発明は、ろ過処理装置の構造が簡単であり、樹脂成分を含む汚染水を処理した場合でも逆浸透膜モジュールが閉塞することなく安定したろ過処理運転を行うことができる、１又は複数の逆浸透膜モジュールを使用した前記汚染水用のろ過処理装置並びにその運転方法を提供することを課題とする。
【課題を解決するための手段】
【０００７】
本発明は、第１のろ過処理装置として、汚染水タンク、撹拌タンク、懸濁液ろ過器、被処理水タンク、及び１〜３台の逆浸透膜モジュール、ろ過水タンクを備える、ろ過処理装置であって、
前記汚染水タンクと前記撹拌タンクが汚染水ラインで接続され、
前記撹拌タンクが、撹拌機及び凝集剤供給装置を備えており、前記撹拌タンクと前記懸濁液ろ過器が懸濁液引き抜きラインで接続され、
前記懸濁液ろ過器と前記被処理水タンクが懸濁液ろ過水ラインで接続され、
前記逆浸透膜モジュールが、筒状の外部ケーシング内に逆浸透膜の管状膜エレメントが複数収容されているものであり、
前記筒状の外部ケーシングが、被処理水入口、濃縮水出口及びろ過水出口を有しているものであり、
前記複数の管状膜エレメントが、それぞれの両端部が通水可能に接続され、全体として１本の管状膜エレメントになるように形成されたものであり、前記１本の管状膜エレメントの第１端開口部が前記被処理水入口と接続され、前記第１端開口部とは反対側の第２端開口部が前記濃縮水出口と接続されているものであり、
１〜３台の前記逆浸透膜モジュールが、前記逆浸透膜モジュールの数に応じて下記のように組み合わされている、樹脂成分を含む汚染水用のろ過処理装置を提供する。
（前記逆浸透膜モジュールが１台の場合）
第１逆浸透膜モジュールの第１被処理水入口と前記被処理水タンクが被処理水ラインで接続され、
第１逆浸透膜モジュールの第１濃縮水出口と前記被処理水タンクが第１濃縮水ラインで接続され、
第１逆浸透膜モジュールの第１ろ過水出口と前記ろ過水タンクが第１ろ過水ラインで接続されている。
（前記逆浸透膜モジュールが２台の場合）
第１逆浸透膜モジュールの第１被処理水入口と前記被処理水タンクが被処理水ラインで接続され、
第１逆浸透膜モジュールの第１濃縮水出口と第２逆浸透膜モジュールの第２被処理水入口が第１濃縮水ラインで接続され、
第１逆浸透膜モジュールの第１ろ過水出口と前記ろ過水タンクが第１ろ過水ラインで接続され、
第２逆浸透膜モジュールの第２濃縮水出口と前記被処理水タンクが第２濃縮水ラインで接続され、
第２逆浸透膜モジュールの第２ろ過水出口と前記ろ過水タンクが第２ろ過水ラインで接続されている。
（前記逆浸透膜モジュールが３台の場合）
第１逆浸透膜モジュールの第１被処理水入口と前記被処理水タンクが被処理水ラインで接続され、
第１逆浸透膜モジュールの第１濃縮水出口と第２逆浸透膜モジュールの第２被処理水入口が第１濃縮水ラインで接続され、
第１逆浸透膜モジュールの第１ろ過水出口と前記ろ過水タンクが第１ろ過水ラインで接続され、
第２逆浸透膜モジュールの第２濃縮水出口と第３逆浸透膜モジュールの第３被処理水入口が第２濃縮水ラインで接続され、
第２逆浸透膜モジュールの第２ろ過水出口と前記ろ過水タンクが第２ろ過水ラインで接続され、
第３逆浸透膜モジュールの第３濃縮水出口と前記被処理水タンクが第３濃縮水ラインで接続され、
第３逆浸透膜モジュールの第３ろ過水出口と前記ろ過水タンクが第３ろ過水ラインで接続されている。
【０００８】
また本発明は、上記した第１のろ過処理装置の運転方法であって、
前記汚染水タンク内の樹脂成分を含む汚染水を、前記撹拌タンクに通液させ、前記撹拌タンク内の前記汚染水に凝集剤を添加して混合することで懸濁液を得る工程１、
前記懸濁液を前記懸濁液ろ過器に送ってろ過し、ろ過して得られた被処理水を前記被処理水タンクに送る工程２、
前記被処理水タンク内の前記被処理水を、１又は複数の前記逆浸透膜モジュールに通液させて、各逆浸透膜モジュールでろ過する工程３を有する、ろ過処理装置の運転方法を提供する。
【０００９】
また本発明は、第２のろ過処理装置として、汚染水タンク、撹拌タンク、懸濁液ろ過器、被処理水タンク、及び複数の逆浸透膜モジュール、ろ過水タンクを備える、ろ過処理装置であって（以下においてｎは４〜１０の正の整数であり、1つのろ過処理装置において、ｎは同じ数を示すものである）、
前記汚染水タンクと前記撹拌タンクが汚染水ラインで接続され、
前記撹拌タンクが、撹拌機及び凝集剤供給装置を備えており、前記撹拌タンクと前記懸濁液ろ過器が懸濁液引き抜きラインで接続され、
前記懸濁液ろ過器と前記被処理水タンクが懸濁液ろ過水ラインで接続され、
前記逆浸透膜モジュールが、筒状の外部ケーシング内に逆浸透膜の管状膜エレメントが複数収容されているものであり、
前記筒状の外部ケーシングが、被処理水入口、濃縮水出口及びろ過水出口を有しているものであり、
前記複数の管状膜エレメントが、それぞれの両端部が通水可能に接続され、全体として１本の管状膜エレメントになるように形成されたものであり、前記１本の管状膜エレメントの第１端開口部が前記被処理水入口と接続され、前記第１端開口部とは反対側の第２端開口部が前記濃縮水出口と接続されているものであり、
前記逆浸透膜モジュールが、第１逆浸透膜モジュールから第ｎ逆浸透膜モジュールまでの合計でｎ台の前記逆浸透膜モジュールの組み合わせからなるものであり、
第１逆浸透膜モジュールから第ｎ逆浸透膜モジュールまでの組み合わせが、下記の第１段から第ｎ段までのように組み合わせられている、樹脂成分を含む汚染水用のろ過処理装置を提供する。
（第１段）
第１逆浸透膜モジュールの第１被処理水入口と前記被処理水タンクが被処理水ラインで接続され、
第１逆浸透膜モジュールの第１濃縮水出口と第２逆浸透膜モジュールの第２被処理水入口が第１濃縮水ラインで接続され、
第１逆浸透膜モジュールの第１ろ過水出口と前記ろ過水タンクが第１ろ過水ラインで接続されている。
（第２段から第ｎ−１段まで）
前段の逆浸透膜モジュールの濃縮水出口と逆浸透膜モジュールの被処理水入口が前段の濃縮水ラインで接続され、
逆浸透膜モジュールの濃縮水出口と次段の逆浸透膜モジュールの被処理水入口が濃縮水ラインで接続され、
逆浸透膜モジュールのろ過水出口と前記ろ過水タンクがろ過水ラインで接続されている。
（第ｎ段）
第ｎ−１逆浸透膜モジュールの第ｎ−１濃縮水出口と第ｎ逆浸透膜モジュールの第ｎ被処理水入口が第ｎ−１濃縮水ラインで接続され、
第ｎ逆浸透膜モジュールの第ｎ濃縮水出口と被処理水タンクが第ｎ濃縮水ラインで接続され、
第ｎ逆浸透膜モジュールの第ｎろ過水出口と前記ろ過水タンクが第ｎろ過水ラインで接続されている。
【００１０】
また本発明は、上記した第２のろ過処理装置の運転方法であって、
前記汚染水タンク内の樹脂成分を含む汚染水を、前記撹拌タンクに通液させ、前記撹拌タンク内の前記汚染水に凝集剤を添加して混合することで懸濁液を得る工程１、
前記懸濁液を前記懸濁液ろ過器に送ってろ過し、ろ過して得られた被処理水を前記被処理水タンクに送る工程２、
前記被処理水タンク内の前記被処理水を、第１逆浸透膜モジュールから第ｎ逆浸透膜モジュールの順に通液させて、各逆浸透膜モジュールでろ過する工程３を有する、ろ過処理装置の運転方法を提供する。
【００１１】
本発明のろ過処理装置は、１台からｎ台までの逆浸透膜モジュールの組み合わせからなるものである。ｎは、好ましくは４〜１０の正の整数であり、１つのろ過処理装置において、ｎは同じ数を示すものである。
本発明のろ過処理装置において、例えばｎ＝４のときは、次のように組み合わされている。
（第１段）
第１逆浸透膜モジュールの第１被処理水入口と被処理水タンクが被処理水ラインで接続され、
第１逆浸透膜モジュールの第１濃縮水出口と第２逆浸透膜モジュールの第２被処理水入口が第１濃縮水ラインで接続され、
第１逆浸透膜モジュールの第１ろ過水出口とろ過水タンクが第１ろ過水ラインで接続されている。
（第２段）
第２逆浸透膜モジュールの第２濃縮水出口と第３逆浸透膜モジュールの第３被処理水入口が第２濃縮水ラインで接続され、
第２逆浸透膜モジュールの第２ろ過水出口と前記ろ過水タンクが第２ろ過水ラインで接続されている。
（第３段）
第３逆浸透膜モジュールの第３濃縮水出口と第４逆浸透膜モジュールの第４被処理水入口が第３濃縮水ラインで接続され、
第３逆浸透膜モジュールの第３ろ過水出口と前記ろ過水タンクが第３ろ過水ラインで接続されている。
（第４段）
第４逆浸透膜モジュールの第４濃縮水出口と被処理水タンクが第４濃縮水ラインで接続され、
第４逆浸透膜モジュールの第４ろ過水出口と前記ろ過水タンクが第４ろ過水ラインで接続されている。
【発明の効果】
【００１２】
本発明によれば、ろ過処理装置の構造が簡単であり、樹脂成分を含む汚染水を処理した場合でも逆浸透膜モジュールが閉塞することなく安定したろ過処理運転を行うことができる、１又は複数の逆浸透膜モジュールを使用した前記汚染水用のろ過処理装置並びにその運転方法を提供することができる。
【図面の簡単な説明】
【００１３】
【図１】逆浸透膜モジュール４台を用いたろ過処理装置の概略図。
【図２】管状膜エレメント概念図
【図３】逆浸透膜モジュールの概念図。
【図４】逆浸透膜モジュールの縦断面図。
【図５】図１のろ過処理装置に通液方向変更具を接続させたろ過処理装置の概略図。
【図６】図１のろ過処理装置に予備ラインを配置させたろ過処理装置であって、予備ラインと逆浸透膜モジュールが接続前のろ過処理装置の概略図。
【図７】図６のろ過処理装置であって、予備ラインと逆浸透膜モジュールが接続後のろ過処理装置の概略図。
【図８】図５のろ過処理装置に予備ラインを配置させたろ過処理装置であって、予備ラインと逆浸透膜モジュールが接続前の概略図。
【図９】図８のろ過処理装置であって、予備ラインと逆浸透膜モジュールが接続後の概略図。
【発明を実施するための形態】
【００１４】
（１）図１のろ過処理装置及びその運転方法
＜ろ過処理装置＞
図１のろ過処理装置について説明する。図１のろ過処理装置は、汚染水タンク１００、撹拌タンク１１０、懸濁液ろ過器１２０、被処理水タンク１、逆浸透膜モジュール１０〜４０の合計４台、及びろ過水タンク４を備えている。また図１のろ過処理装置において、逆浸透膜モジュールは１〜３台としてもよい。
【００１５】
樹脂成分を含む汚染水が入った汚染水タンク１００は、汚染水ライン１０１により撹拌タンク１１０に接続されている。汚染水ライン１０１には前記汚染水を送るためのポンプ１０２が配置されている。
【００１６】
撹拌タンク１１０には、撹拌機１１１、及び凝集剤供給装置１１２が付設されている。
撹拌タンク１１０は、凝集剤添加により得られた懸濁液を懸濁液ろ過器１２０に送るために、懸濁液引き抜きライン１１３により懸濁液ろ過器１２０に接続されている。懸濁液を懸濁液ろ過器１２０に送るために、懸濁液引き抜きライン１１３は、撹拌タンク１１０の底部で接続されていることが好ましく、また懸濁液引き抜きライン１１３に懸濁液を懸濁液ろ過器１２０に送るためのポンプが配置されてもよい。
【００１７】
懸濁液ろ過器１２０は、懸濁物を取り除くことができるものであれば公知のろ過器を用いることができる。懸濁液ろ過器１２０は、例えば、懸濁液が通過する筐体内において、目開き０．１〜５ｍｍの濾布又は金網が、透水性の支持体（網籠状のもの等）内に保持されたものを用いることができる。
懸濁液ろ過器１２０は、懸濁液をろ過することにより得られた被処理水を被処理水タンク１に送るために、懸濁液ろ過水ライン１２１により被処理水タンク１に接続されている。
【００１８】
被処理水が入った被処理水タンク１と第１逆浸透膜モジュール１０の第１被処理水入口１０ａは、被処理水ライン２で接続されている。被処理水ライン２には、ポンプ３が配置されている。
第１逆浸透膜モジュール１０の第１濃縮水出口１０ｂと第２逆浸透膜モジュール２０の第２被処理水入口２０ａが第１濃縮水ライン１１で接続され、第１逆浸透膜モジュール１０の第１ろ過水出口１０ｃとろ過水タンク４が第１ろ過水ライン１２で接続されている。
第２逆浸透膜モジュール２０の第２濃縮水出口２０ｂと第３逆浸透膜モジュール３０の第３被処理水入口３０ａが第２濃縮水ライン２１で接続され、第２逆浸透膜モジュール２０の第２ろ過水出口２０ｃとろ過水タンク４が第２ろ過水ライン２２で接続されている。
第３逆浸透膜モジュール３０の第３濃縮水出口３０ｂと第４逆浸透膜モジュール４０の第４被処理水入口４０ａが第３濃縮水ライン３１で接続され、第３逆浸透膜モジュール３０の第３ろ過水出口３０ｃとろ過水タンク４が第３ろ過水ライン３２で接続されている。
第４逆浸透膜モジュール４０の第４濃縮水出口４０ｂと被処理水タンク１が第４濃縮水ライン（最終濃縮水ライン）４１で接続され、第４逆浸透膜モジュール４０の第４ろ過水出口４０ｃとろ過水タンク４が第４ろ過水ライン４２で接続されている。
【００１９】
ろ過水タンク４と各逆浸透膜モジュールを繋げる第１ろ過水ライン１２〜第４ろ過水ライン４２には、ろ過効率を上げるために吸引ポンプを配置してもよい。
また汚染水タンク１００、撹拌タンク１１０、被処理水タンク１及びろ過水タンク４には、温度計、水位計、濁度計などの各種計測機を配置してもよく、また汚染水、懸濁液、被処理水又はろ過水を通液させる各種ラインには、圧力計、流量計などの計測器や通液を制御するための開閉バルブ、予備タンクを配置してもよい。前記内容は、下記の図５〜９のろ過処理装置においても同様である。
【００２０】
本発明に用いられる逆浸透膜モジュールについて説明する。
本発明の管状膜エレメント６０の概念図を図２に示す。本発明の管状膜エレメント６０は、図２に示す通り、被処理水を逆浸透膜の管状膜エレメント６０で形成された内径５〜２０ｍｍの管内を通してろ過するものである。
管状膜エレメント６０は、紙、不織布などの通水性の支持体の管内表面に逆浸透膜の層を有するものである。逆浸透膜としては酢酸セルロースなどの公知のものを用いることができる。
また管状膜エレメント６０は、複数の管状膜エレメントの接触による磨耗を防止するために、図２に示す通り、繊維強化プラスチック（ＦＲＰ）やステンレス（ＳＵＳ）などからなる支持管６３に内包されていてもよい。支持管６３は、管状膜エレメント６０でろ過されたろ過水を通水するための通水孔６４を複数有してもよい。支持管６１の内径は、管状膜エレメントの内径より少し大きい内径であることが好ましい。
【００２１】
本発明の逆浸透膜モジュールの概念図を図３に、本発明の逆浸透膜モジュールの縦断面図を図４に示す。
本発明の逆浸透膜モジュールは、筒状の外部ケーシング５０内に逆浸透膜の管状膜エレメント６０が複数収容されているものである。
筒状の外部ケーシング５０は、被処理水入口５１、濃縮水出口５２及びろ過水出口５３を有している。
外部ケーシング５０内の管状膜エレメント６０の本数は、好ましくは１０〜１００本であり、より好ましくは１５〜５０本であり、管状膜エレメント６０の長さは１〜５ｍが好ましい。
外部ケーシング５０内の複数の管状膜エレメント６０は、それぞれの両端部が通水可能に接続され、全体として１本の管状膜エレメントになるように形成されたものであり、前記１本の管状膜エレメントの第１端開口部６１が被処理水入口５１と接続され、第１端開口部６１とは反対側の第２端開口部６２が濃縮水出口５２と接続されている。
複数の管状膜エレメント６０のそれぞれの両端部を接続する方法としては、モジュール両端に配した特殊ヘッダーもしくはＵ字状の接続管６５が用いられる。
なお外部ケーシング５０内の複数の管状膜エレメント６０は、束になった状態で収容されており、図４の逆浸透膜モジュールの縦断面図では、便宜上、複数の管状膜エレメント６０が開けた状態で図示しており、管状膜エレメント６０の本数も一部省略して図示している。
【００２２】
＜ろ過処理装置の運転方法＞
図１のろ過処理装置の運転方法について説明する。
図１のろ過処理装置の運転方法は、下記工程１〜３を有する。
（工程１）
工程１は、ポンプ１０２を作動させ、汚染水タンク１００内の樹脂成分を含む汚染水を、撹拌タンク１１０に通液させ、撹拌タンク１１０内の前記汚染水に凝集剤を添加して混合することで懸濁液を得る工程である。
【００２３】
汚染水は、工場等から排出される樹脂成分を含むものである。汚染水に含まれる樹脂成分としては、電着塗装用樹脂が挙げられ、エマルジョン塗料用樹脂等の非水溶性樹脂の水分散物の形態のものと、水溶性樹脂が水に溶解された形態のものが含まれる。
本発明のろ過処理装置の運転方法は、本発明の効果をより享受する観点から、電着塗装工場より排出される汚染水に対して効果的である。電着塗装工場より排出される汚染水には、電着塗装用樹脂、切削油等の有機成分、及び鉛等の金属成分が含まれることがある。
本発明のろ過処理方法が対象とする汚染水に含まれる樹脂成分濃度としては１〜２，０００ｐｐｍが挙げられる。
【００２４】
撹拌タンク１１０内の前記汚染水に、凝集剤供給装置１１２から凝集剤を添加して撹拌機１１１により混合することで、汚染水中に含まれる有機成分及び／又は金属成分が凝集して懸濁することで、懸濁液を得ることができる。凝集剤としては、汚染水中に含まれる成分に応じて公知のものを用いることができ、例えば、特開２００６−１２２７９５号公報の〔００２０〕及び実施例１に記載のカルシウム系凝集剤、同公報の〔００２２〕に記載の無機凝集剤、カチオン性高分子凝集剤、アニオン性高分子凝集剤、ノニオン性高分子凝集剤、低分子有機系凝集剤、特開２００９−１１９４２７号公報の〔００２０〕に記載の無機化合物、高分子凝集剤、特開２００２−１６６１０２号公報に記載の凝集剤を挙げることができる。特に、電着塗装工場より排出される汚染水をろ過処理する場合、無機凝集剤、カチオン性高分子凝集剤、アニオン性高分子凝集剤から選ばれる１種以上を用いることが好適である。
凝集剤の添加量は、１〜２０００ｍｇ／Ｌ（汚染水１Ｌ当たり）、好ましくは１０〜１０００ｍｇ／Ｌの範囲である。
凝集剤添加後に１〜１５分程度、好ましくは５〜１０分間撹拌する。
【００２５】
（工程２）
工程２は、工程１で得られた懸濁液を、懸濁液引き抜きライン１１３から懸濁液ろ過器１２０に送ってろ過し、ろ過して得られた被処理水を、懸濁液ろ過水ライン１２１から被処理水タンク１に送る工程である。
工程２におけるろ過は、懸濁液から懸濁物質を取り除くことができればよく、ろ過して得られた被処理水に微小なフロック（直径１ｍｍ以下の凝集体）が混入してもよい。また工程２は、工程１で得られた懸濁液が汚泥として撹拌タンク１１０内に残らないように撹拌後、すみやかに懸濁液を懸濁液ろ過器１２０に送ることが好ましく、撹拌を続けながら懸濁液を懸濁液ろ過器１２０に送ることがより好ましい。
【００２６】
（工程３）
工程３は、ポンプ３を作動させ、被処理水タンク１内に送られた被処理水を、被処理水ライン２から第１逆浸透膜モジュール１０に送り、続いて第１逆浸透膜モジュール１０から第４逆浸透膜モジュール４０の順に、各濃縮水ライン１１、２１、３１を通して通液させて、各逆浸透膜モジュールでろ過する工程である。
第４逆浸透膜モジュール４０を通液した被処理水は、第４濃縮水ライン（最終濃縮水ライン）４１から被処理水タンク１に戻される。
各逆浸透膜モジュール１０、２０、３０、４０でろ過されたろ過水は、各ろ過水ライン１２、２２、３２、４２からろ過水タンク４に送られる。
【００２７】
図１のろ過処理装置は、各逆浸透膜モジュールを直列に繋げているため、被処理水の流路が1つであり、配管構造が簡単である。
また樹脂成分を含む汚染水をろ過対象とする場合に、工程１、２で、予め汚染水中に含まれる樹脂成分を凝集させて取り除くため、各逆浸透膜モジュールを閉塞させることなく、安定してろ過処理運転を行うことができる。
また管状膜エレメントの膜面が汚れた場合でも、被処理水の流路が1つであることから、スポンジボールなどで管状膜エレメントの内膜面洗浄を行うことも操作が容易であり、安定したろ過処理運転を行うことができる。
【００２８】
（２）図５のろ過処理装置及びその運転方法
＜ろ過処理装置＞
図５のろ過処理装置について説明する。図５のろ過処理装置は、被処理水の通液方向を交互に変更可能な通液方向変更具７０を備えること以外は、図１のろ過処理装置と同じである。
【００２９】
通液方向変更具７０は、被処理水ライン２（２ａ、２ｂ）と第４濃縮水ライン（最終濃縮水ライン）４１（４１ａ、４１ｂ）との間を接続するように配置される。
通液方向変更具７０は、被処理水の通液方向を交互に変更可能にするものであればよく、公知のものを用いることができ、例えば、複数の三方弁からなるものを用いることができる。
【００３０】
図５では、通液方向変更具７０として、三方弁７１と三方弁７２を組み合わせたものを用いている。三方弁７１のポート（入口又は出口）７１ａと被処理水タンク１とが被処理水ライン２ａで接続され、三方弁７１のポート７１ｂと第１逆浸透膜モジュール１０の第１被処理水入口１０ａとが被処理水ライン２ｂで接続され、三方弁７１のポート７１ｃと被処理水タンク１とが第４濃縮水ライン４１ａで接続されている。また三方弁７２のポート７２ａと被処理水タンク１とが被処理水ライン２ａで接続され、三方弁７２のポート７２ｂと第４逆浸透膜モジュール４０の第４濃縮水出口４０ｂが第４濃縮水ライン４１ｂで接続され、三方弁７２のポート７２ｃと被処理水タンク１とが第４濃縮水ライン４１ａで接続されている。またポンプ３は被処理水ライン２ａに配置されている。
【００３１】
＜ろ過処理装置の運転方法＞
図５のろ過処理装置の運転方法について説明する。
図５のろ過処理装置の運転方法は、下記工程１〜４を有する。なお工程３、４を行う順序は、どの順番から行ってもよい。
【００３２】
（工程１、２）
工程１、２は、図１のろ過処理装置の運転方法の工程１、２と同じである。
【００３３】
（工程３）
工程３は、図１のろ過処理装置の運転方法の工程３と同じである。なお三方弁７１は、ポート７１ａ及びポート７１ｂを開放し、７１ｃを閉じ、三方弁７２は、７２ａを閉じ、７２ｂ及び７２ｃを開放して、被処理水タンク１内の被処理水を、被処理水ライン２（２ａ、２ｂ）から各逆浸透膜モジュールに送るように運転する。第４逆浸透膜モジュール４０を通液した被処理水は、第４濃縮水ライン（最終濃縮水ライン）４１（４１ａ、４１ｂ）から被処理水タンク１に戻される。
【００３４】
（工程４）
工程４は、通液方向変更具７０である三方弁７１及び７２により、被処理水の通液方向を変更して、ポンプ３を作動させ、被処理水タンク１内の被処理水を、被処理水ライン２ａと第４濃縮水ライン４１ｂを通して第４逆浸透膜モジュール４０に送り、続いて第４逆浸透膜モジュール４０から第１逆浸透膜モジュール１０の順に、各濃縮水ライン３１、２１、１１を通して通液させて、各逆浸透膜モジュールでろ過する工程である。
【００３５】
通液方向変更具７０は、三方弁７１のポート７１ａを閉じ、ポート７１ｂ及びポート７１ｃを開放し、三方弁７２のポート７２ａ及びポート７２ｂを開放し、ポート７２ｃを閉じて、ろ過処理運転を行う。
被処理水タンク１内の被処理水は、被処理水ライン２ａと第４濃縮水ライン４１ｂを通して第４逆浸透膜モジュール４０に送られ、続いて第４逆浸透膜モジュール４０から第１逆浸透膜モジュール１０の順に、各濃縮水ライン３１、２１、１１を通して送られる。第１逆浸透膜モジュール１０を通液した被処理水は、被処理水ライン２ｂと第４濃縮水ライン４１ａから被処理水タンク１に戻される。
各逆浸透膜モジュール１０、２０、３０、４０でろ過されたろ過水は、各ろ過水ライン１２、２２、３２、４２からろ過水タンク４に送られる。
【００３６】
図５のろ過処理装置は、図１のろ過処理装置の効果に加えて以下の効果が挙げられる。
通常、被処理水の水圧は、上流側の逆浸透膜モジュールの方が高く、下流側の逆浸透膜モジュールの方が低くなる。そのため上流側の逆浸透膜モジュールの方が管状膜エレメントの膜面が汚れにより詰まりやすいが、図５のろ過処理装置では、上述の通り、通液方向を変更することにより、上流側の逆浸透膜モジュールと下流側の逆浸透膜モジュールを変更することができ、各逆浸透膜モジュールの管状膜エレメント全体を有効に利用することができる。
また逆浸透膜モジュールの洗浄の際に、ろ過処理運転時の通液方向とは逆の通液方向にして洗浄をすると、管状膜エレメント内の汚れを効果的に除去することができ、洗浄に必要な薬品及び工数を削減することができるため、安定したろ過処理運転を行うことができる。
【００３７】
（２）図６、７のろ過処理装置及びその運転方法
＜ろ過処理装置＞
図６、７のろ過処理装置について説明する。図６、７のろ過処理装置は、予備被処理水ライン８０及び予備濃縮水ライン８１を備えること以外は、図１のろ過処理装置と同じである。図６は予備被処理水ライン８０及び予備濃縮水ライン８１を各逆浸透膜モジュールと接続する前のろ過処理装置の概略図であり、図７は予備被処理水ライン８０及び予備濃縮水ライン８１を各逆浸透膜モジュールと接続後のろ過処理装置の概略図である。
【００３８】
予備被処理水ライン８０の第１端開口部８０ａが被処理水ライン２に接続され、第１端開口部８０ａとは反対側の第２端開口部８０ｂが第２逆浸透膜モジュール２０の第２被処理水入口２０ａから第４逆浸透膜モジュール４０の第４被処理水入口４０ａまでの何れかと接続可能である。
予備被処理水ライン８０の第１端開口部８０ａと被処理水ライン２の接続部には、被処理水の通液方向を変更できるように三方弁８２が配置されている。またポンプ３は被処理水ライン２と予備被処理水ライン８０の両方に送水できるように被処理水ライン２上の被処理水タンク１と三方弁８２の間に配置されている。
予備被処理水ライン８０の第１端開口部８０ａは、被処理水タンク１と直接接続されてもよい。その場合、被処理水ライン２と予備被処理水ライン８０の両方に送水できるように、被処理水ライン２と予備被処理水ライン８０の両方にポンプが配置される。
【００３９】
予備濃縮水ライン８１の第１端開口部８１ａが第４濃縮水ライン４１に接続され、第１端開口部８１ａとは反対側の第２端開口部８１ｂが第１逆浸透膜モジュール１０の第１濃縮水出口１０ｂから第３逆浸透膜モジュール３０の第３濃縮水出口３０ｂまでの何れかと接続可能である。
予備濃縮水ライン８１の第１端開口部８１ａと第４濃縮水ライン４１の接続部には、被処理水の通液方向を変更できるように三方弁８３が配置されている。
予備濃縮水ライン８１の第１端開口部８１ａは、被処理水タンク１と直接接続されていてもよい。
【００４０】
＜ろ過処理装置の運転方法＞
図６、７のろ過処理装置の運転方法について説明する。
図６、７のろ過処理装置の運転方法は、下記工程１〜３、工程５〜７を有する。なお工程３、５〜７を行う順序は、どの順番から行ってもよい。
【００４１】
（工程１、２）
工程１、２は、図１のろ過処理装置の運転方法の工程１、２と同じである。
【００４２】
（工程３）
工程３は、図１のろ過処理装置の運転方法の工程３と同じである。なお三方弁８２は、ポート８２ａ及びポート８２ｃを開放し、ポート８２ｂを閉じ、三方弁８３は、ポート８３ｂを閉じ、ポート８３ａ及びポート８３ｃを開放して、被処理タンク１内の被処理水を、被処理水ライン２から各逆浸透膜モジュールに送るように運転する。第４逆浸透膜モジュール４０を通液した被処理水は、第４濃縮水ライン（最終濃縮水ライン）４１から被処理水タンク１に戻される。
【００４３】
（工程５）
工程５は、予備被処理水ライン８０の前記第２端開口部８０ｂを第２逆浸透膜モジュール２０の第２被処理水入口２０ａから第４逆浸透膜モジュール４０の第４被処理水入口４０ａまでの何れかと接続し、被処理水タンク１内の被処理水を、予備被処理水ライン８０に通液させて、各逆浸透膜モジュールに被処理水を送り、各逆浸透膜モジュールでろ過する工程である。
【００４４】
図７では、予備被処理水ライン８０の前記第２端開口部８０ｂが第３逆浸透膜モジュール３０の第３被処理水入口３０ａと接続されている。
ポンプ３を作動させて、被処理水タンク１内の被処理水を、被処理水ライン２、予備被処理水ライン８０の順に送り、第３逆浸透膜モジュール３０、第４逆浸透膜モジュール４０の順に通液させて、各逆浸透膜モジュールでろ過するように運転する。
第４逆浸透膜モジュール４０を通液した被処理水は、第４濃縮水ライン４１を通して被処理水タンク１に戻される。
三方弁８２、８３は、三方弁８２のポート８２ａ及びポート８２ｂを開放し、ポート８２ｃを閉じ、三方弁８３のポート８３ａ及びポート８３ｃを開放し、ポート８３ｂを閉じて、ろ過処理運転を行う。
【００４５】
（工程６）
工程６は、予備濃縮水ライン８１の第２端開口部８０ｂを、第１逆浸透膜モジュール１０の第１濃縮水出口１０ｂから第３逆浸透膜モジュール３０の第３濃縮水出口３０ｂまでの何れかと接続し、被処理水タンク１内の被処理水を、被処理水ライン２に通液させて、各逆浸透膜モジュールに被処理水を送り、各逆浸透膜モジュールでろ過する工程である。
【００４６】
図７では、予備濃縮水ライン８１の第２端開口部８０ｂが第２逆浸透膜モジュール２０の第２濃縮水出口２０ｂと接続されている。
ポンプ３を作動させて、被処理水タンク１内の被処理水を、被処理水ライン２から第１逆浸透膜モジュール１０、第２逆浸透膜モジュール２０の順に通液させて、各逆浸透膜モジュールでろ過するように運転する。
第２逆浸透膜モジュール２０を通液した被処理水は、予備濃縮水ライン８１、濃縮水ライン４１の順に通液して被処理水タンク１に戻される。
三方弁８２、８３は、三方弁８２のポート８２ａ及びポート８２ｃを開放し、ポート８２ｂを閉じ、三方弁８３のポート８３ｂ及びポート８３ｃを開放し、ポート８３ａを閉じて、ろ過処理運転を行う。
【００４７】
（工程７）
工程７は、予備被処理水ライン８０の第２端開口部８０ｂを第２逆浸透膜モジュール２０の第２被処理水入口２０ａから第４逆浸透膜モジュール４０の第４被処理水入口４０ａまでの何れかと接続し、予備濃縮水ライン８１の第２端開口部８１ｂを、第１逆浸透膜モジュール１０の第１濃縮水出口１０ｂから第３逆浸透膜モジュール３０の第３濃縮水出口３０ｂまでの何れかと接続し、被処理水タンク１内の被処理水を、被処理水ライン２及び予備被処理水ライン８０の少なくとも何れかに通液させて、各逆浸透膜モジュールに被処理水を送り、各逆浸透膜モジュールでろ過する工程である。
【００４８】
図７では、予備被処理水ライン８０の前記第２端開口部８０ｂが第３逆浸透膜モジュール３０の第３被処理水入口３０ａと接続され、予備濃縮水ライン８１の第２端開口部８０ｂが第２逆浸透膜モジュール２０の第２濃縮水出口２０ｂと接続されている。
ポンプ３を作動させて、処理水タンク１内の被処理水を、被処理水ライン２及び予備被処理水ライン８０の少なくとも何れかに通液させて、各逆浸透膜モジュールでろ過するように運転する。
【００４９】
被処理水ライン２にのみ通液させる場合、三方弁８２のポート８２ａ及びポート８２ｃを開放し、ポート８２ｂを閉じ、三方弁８３のポート８３ｂ及びポート８３ｃを開放し、ポート８３ａを閉じて、ポンプ３を作動させることで、被処理水タンク１内の被処理水を、被処理水ライン２から第１逆浸透膜モジュール１０、第２逆浸透膜モジュール２０の順に通液させて、各逆浸透膜モジュールでろ過するように運転する。
第２逆浸透膜モジュール２０を通液した被処理水は、予備濃縮水ライン８１、濃縮水ライン４１の順に通液して被処理水タンク１に戻される。
【００５０】
予備被処理水ライン８０にのみ通液させる場合、三方弁８２のポート８２ａ及びポート８２ｂを開放し、ポート８２ｃを閉じ、三方弁８３のポート８３ａ及びポート８３ｃを開放し、ポート８３ｂを閉じて、ポンプ３を作動させることで、被処理水タンク１内の被処理水を、被処理水ライン２、予備被処理水ライン８０の順に送り、第３逆浸透膜モジュール３０、第４逆浸透膜モジュール４０の順に通液させて、各逆浸透膜モジュールでろ過するように運転する。
第４逆浸透膜モジュール４０を通液した被処理水は、第４濃縮水ライン４１を通して被処理水タンク１に戻される。
【００５１】
被処理水ライン２と予備被処理水ライン８０の両方に通液させる場合、三方弁８２の全てのポートを開放し、三方弁８３の全てのポートを開放して、ポンプ３を作動させることで、被処理水タンク１の被処理水を、被処理水ライン２と予備被処理水ライン８０の両方に送り、各逆浸透膜モジュールに通液させて、各逆浸透膜モジュールでろ過するように運転する。
第２逆浸透膜モジュール２０を通液した被処理水は、予備濃縮水ライン８１、濃縮水ライン４１の順に通液して被処理水タンク１に戻され、第４逆浸透膜モジュール４０を通液した被処理水は、第４濃縮水ライン４１を通して被処理水タンク１に戻される。
【００５２】
図６、７のろ過処理装置は、図１のろ過処理装置の効果に加えて以下の効果が挙げられる。
粘度や濁度などの被処理水の水質や各逆浸透膜モジュールに通液する循環流量によって、直列に連結された逆浸透膜モジュールの入出口の圧力損失が大きい場合に、予備被処理水ライン８０と予備濃縮水ライン８１の予備ラインを使用して、より小数の逆浸透膜モジュールで循環できるようにすると圧力損失を下げることができるため、安定したろ過処理運転を行うことができる。
また各逆浸透膜モジュールの管状膜エレメントの膜面汚れ具合、粘度や濁度などの被処理水の水質、及び各逆浸透膜モジュールに通液する循環流量に応じて、最適な逆浸透膜モジュール連結数を容易に調整することができ、各逆浸透膜モジュールの管状膜エレメント全体を有効に利用することができる。そのため洗浄に必要な薬品及び工数を削減することができるため、安定したろ過処理運転を行うことができる。
また逆浸透膜モジュール連結数を変更した場合でもポンプ３の１台のみでもろ過処理運転を行うことができるため、オペレーションコストを上げることなく、安定したろ過処理運転を行うことができる。
【００５３】
（２）図８、９のろ過処理装置及びその運転方法
＜ろ過処理装置＞
図８、９のろ過処理装置について説明する。図８、９のろ過処理装置は、予備被処理水ライン８０及び予備濃縮水ライン８１を備えること以外は、図５のろ過処理装置と同じである。図８は予備被処理水ライン８０及び予備濃縮水ライン８１を各逆浸透膜モジュールと接続する前のろ過処理装置の概略図であり、図９は予備被処理水ライン８０及び予備濃縮水ライン８１を各逆浸透膜モジュールと接続後のろ過処理装置の概略図である。
【００５４】
予備被処理水ライン８０の第１端開口部８０ａが被処理水ライン２ｂに接続され、第１端開口部８０ａとは反対側の第２端開口部８０ｂが第２逆浸透膜モジュール２０の第２被処理水入口２０ａから第４逆浸透膜モジュール４０の第４被処理水入口４０ａまでの何れかと接続可能である。
予備被処理水ライン８０の第１端開口部８０ａと被処理水ライン２ｂの接続部には、被処理水の通液方向を変更できるように三方弁８２が配置されている。
【００５５】
予備濃縮水ライン８１の第１端開口部８１ａが第４濃縮水ライン４１ｂに接続され、第１端開口部８１ａとは反対側の第２端開口部８１ｂが第１逆浸透膜モジュール１０の第１濃縮水出口１０ｂから第３逆浸透膜モジュール３０の第３濃縮水出口３０ｂまでの何れかと接続可能である。
予備濃縮水ライン８１の第１端開口部８１ａと第４濃縮水ライン４１の接続部には、被処理水の通液方向を変更できるように三方弁８３が配置されている。
【００５６】
＜ろ過処理装置の運転方法＞
図８、９のろ過処理装置の運転方法について説明する。
図８、９のろ過処理装置の運転方法は、下記工程１〜１０を有する。なお工程３〜１０を行う順序は、どの順番から行ってもよい。
【００５７】
（工程１、２）
工程１、２は、図１のろ過処理装置の運転方法の工程１、２と同じである。
【００５８】
（工程３）
工程３は、図１のろ過処理装置の運転方法の工程３と同じである。なお三方弁７１は、ポート７１ａ及びポート７１ｂを開放し、ポート７１ｃを閉じ、三方弁８２は、ポート８２ａ及びポート８２ｃを開放し、ポート８２ｂを閉じ、三方弁８３は、ポート８３ｂを閉じ、ポート８３ａ及びポート８３ｃを開放し、三方弁７２は、ポート７２ａを閉じ、ポート７２ｂ及びポート７２ｃを開放して、被処理タンク１内の被処理水を、被処理水ライン２（２ａ、２ｂ）から各逆浸透膜モジュールに送るように運転する。
第４逆浸透膜モジュール４０を通液した被処理水は、第４濃縮水ライン（最終濃縮水ライン）４１（４１ａ、４１ｂ）から被処理水タンク１に戻される。
【００５９】
（工程４）
工程４は、図５のろ過処理装置の運転方法の工程４と同じである。なお三方弁７１は、ポート７１ｂ及びポート７１ｃを開放し、ポート７１ａを閉じ、三方弁８２は、ポート８２ａ及びポート８２ｃを開放し、ポート８２ｂを閉じ、三方弁８３は、ポート８３ｂを閉じ、ポート８３ａ及びポート８３ｃを開放し、三方弁７２のポート７２ａ及びポート７２ｂを開放し、ポート７２ｃを閉じて、被処理タンク１内の被処理水を、被処理水ライン２ａ、第４濃縮水ライン４１ｂの順に通液させてから、各逆浸透膜モジュールに送るように運転する。
第１逆浸透膜モジュールを通液した被処理水は、被処理水ライン２ｂ、第４濃縮水ライン４１ａの順に通液して、被処理水タンク１に戻される。
【００６０】
（工程５）
工程５は、図６、７のろ過処理装置の運転方法の工程５と同じである。
図９では、予備被処理水ライン８０の前記第２端開口部８０ｂが第３逆浸透膜モジュール３０の第３被処理水入口３０ａと接続されている。
ポンプ３を作動させることで、被処理水タンク１内の被処理水を、被処理水ライン２（２ａ、２ｂ）、予備被処理水ライン８０の順に送り、第３逆浸透膜モジュール３０、第４逆浸透膜モジュール４０の順に通液させて、各逆浸透膜モジュールでろ過するように運転する。
第４逆浸透膜モジュール４０を通液した被処理水は、第４濃縮水ライン４１（４１ａ、４１ｂ）を通して被処理水タンク１に戻される。
なお三方弁７１は、ポート７１ａ及びポート７１ｂを開放し、ポート７１ｃを閉じ、三方弁８２のポート８２ａ及びポート８２ｂを開放し、ポート８２ｃを閉じ、三方弁８３のポート８３ａ及びポート８３ｃを開放し、ポート８３ｂを閉じ、三方弁７２のポート７２ｂ及びポート７２ｃを開放し、ポート７２ａを閉じて、ろ過処理運転を行う。
【００６１】
（工程６）
工程６は、図６、７のろ過処理装置の運転方法の工程６と同じである。
図９では、予備濃縮水ライン８１の第２端開口部８０ｂが第２逆浸透膜モジュール２０の第２濃縮水出口２０ｂと接続されている。
ポンプ３を作動させることで、被処理水タンク１内の被処理水を、被処理水ライン２（２ａ、２ｂ）から第１逆浸透膜モジュール１０、第２逆浸透膜モジュール２０の順に通液させて、各逆浸透膜モジュールでろ過するように運転する。
第２逆浸透膜モジュール２０を通液した被処理水は、予備濃縮水ライン８１、濃縮水ライン４１（４１ａ、４１ｂ）の順に通液して被処理水タンク１に戻される。
なお三方弁７１は、ポート７１ａ及びポート７１ｂを開放し、ポート７１ｃを閉じ、三方弁８２のポート８２ａ及びポート８２ｃを開放し、ポート８２ｂを閉じ、三方弁８３のポート８３ｂ及びポート８３ｃを開放し、ポート８３ａを閉じ、三方弁７２のポート７２ｂ及びポート７２ｃを開放し、ポート７２ａを閉じて、ろ過処理運転を行う。
【００６２】
（工程７）
工程７は、図６、７のろ過処理装置の運転方法の工程７と同じである。
図９では、予備被処理水ライン８０の前記第２端開口部８０ｂが第３逆浸透膜モジュール３０の第３被処理水入口３０ａと接続され、予備濃縮水ライン８１の第２端開口部８０ｂが第２逆浸透膜モジュール２０の第２濃縮水出口２０ｂと接続されている。
ポンプ３を作動させて、処理水タンク１内の被処理水を、被処理水ライン２（２ａ、２ｂ）及び予備被処理水ライン８０の少なくとも何れかに通液させて、各逆浸透膜モジュールでろ過するように運転する。
【００６３】
被処理水ライン２にのみ通液させる場合、三方弁７１のポート７１ａ及びポート７１ｂを開放し、ポート７１ｃを閉じ、三方弁８２のポート８２ａ及びポート８２ｃを開放し、ポート８２ｂを閉じ、三方弁８３のポート８３ｂ及びポート８３ｃを開放し、ポート８３ａを閉じ、三方弁７２のポート７２ｂ及びポート７２ｃを開放し、ポート７２ａを閉じて、ポンプ３を作動させることで、被処理水タンク１の被処理水を、被処理水ライン２（２ａ、２ｂ）から第１逆浸透膜モジュール１０、第２逆浸透膜モジュール２０の順に通液させて、各逆浸透膜モジュールでろ過するように運転する。
第２逆浸透膜モジュール２０を通液した被処理水は、予備濃縮水ライン８１、濃縮水ライン４１（４１ａ、４１ｂ）の順に通液して被処理水タンク１に戻される。
【００６４】
予備被処理水ライン８０にのみ通液させる場合、三方弁７１のポート７１ａ及びポート７１ｂを開放し、ポート７１ｃを閉じ、三方弁８２のポート８２ａ及びポート８２ｂを開放し、ポート８２ｃを閉じ、三方弁８３のポート８３ａ及びポート８３ｃを開放し、ポート８３ｂを閉じ、三方弁７２のポート７２ｂ及びポート７２ｃを開放し、ポート７２ａを閉じて、ポンプ３を作動させることで、被処理水タンク１の被処理水を、被処理水ライン２（２ａ、２ｂ）、予備被処理水ライン８０の順に送り、第３逆浸透膜モジュール３０、第４逆浸透膜モジュール４０の順に通液させて、各逆浸透膜モジュールでろ過するように運転する。
第４逆浸透膜モジュール４０を通液した被処理水は、第４濃縮水ライン４１（４１ａ、４１ｂ）を通して被処理水タンク１に戻される。
【００６５】
被処理水ライン２（２ａ、２ｂ）と予備被処理水ライン８０の両方に通液させる場合、三方弁７１のポート７１ａ及びポート７１ｂを開放し、ポート７１ｃを閉じ、三方弁８２の全てのポートを開放し、三方弁８３の全てのポートを開放し、三方弁７２のポート７２ｂ及びポート７２ｃを開放し、ポート７２ａを閉じて、ポンプ３を作動させることで、被処理水タンク１の被処理水を、被処理水ライン２（２ａ、２ｂ）と予備被処理水ライン８０の両方に送り、各逆浸透膜モジュールに通液させて、各逆浸透膜モジュールでろ過するように運転する。
第２逆浸透膜モジュール２０を通液した被処理水は、予備濃縮水ライン８１、濃縮水ライン４１（４１ａ、４１ｂ）の順に通液して、被処理水タンク１に戻され、第４逆浸透膜モジュール４０を通液した被処理水は、第４濃縮水ライン４１（４１ａ、４１ｂ）を通して被処理水タンク１に戻される。
【００６６】
（工程８）
工程８は、予備被処理水ライン８０の第２端開口部８０ｂを第２逆浸透膜モジュール２０の第２被処理水入口２０ａから第４逆浸透膜モジュール４０の第４被処理水入口４０ａまでの何れかと接続し、且つ通液方向変更具７０により、被処理水の通液方向を変更して、被処理水タンク１内の被処理水を、第４濃縮ライン４１ｂに通液させて、各逆浸透膜モジュールに被処理水を送り、各逆浸透膜モジュールでろ過する工程である。
【００６７】
図９では、予備被処理水ライン８０の前記第２端開口部８０ｂが第３逆浸透膜モジュールの第３被処理水入口３０ａと接続されている。
通液方向変更具７０により、被処理水の通液方向を変更して、ポンプ３を作動させることで、被処理水タンク１内の被処理水を、被処理水ライン２ａ、第４濃縮水ライン４１ｂの順に送り、第４逆浸透膜モジュール４０、第３逆浸透膜モジュール３０の順に通液させて、各逆浸透膜モジュールでろ過するように運転する。
第３逆浸透膜モジュール３０を通液した被処理水は、予備被処理水ライン８０、被処理水ライン２ｂ、第４濃縮水ライン４１ａの順に通液して、被処理水タンク１に戻される。
なお三方弁７１は、ポート７１ｂ及びポート７１ｃを開放し、ポート７１ａを閉じ、三方弁８２のポート８２ａ及びポート８２ｂを開放し、ポート８２ｃを閉じ、三方弁８３のポート８３ａ及びポート８３ｃを開放し、ポート８３ｂを閉じ、三方弁７２のポート７２ａ及びポート７２ｂを開放し、ポート７２ｃを閉じて、ろ過処理運転を行う。
【００６８】
（工程９）
工程９は、予備濃縮水ライン８１の第２端開口部８１ｂを、第１逆浸透膜モジュール１０の第１濃縮水出口１０ｂから第３逆浸透膜モジュール３０の第３濃縮水出口３０ｂまでの何れかと接続し、且つ通液方向変更具７０により、被処理水の通液方向を変更して、被処理水タンク１内の被処理水を、予備濃縮水ライン８１に通液させて、各逆浸透膜モジュールに被処理水を送り、各逆浸透膜モジュールでろ過する工程である。
【００６９】
図９では、予備濃縮水ライン８１の第２端開口部８０ｂが第２逆浸透膜モジュール２０の第２濃縮水出口２０ｂと接続されている。
通液方向変更具７０により、被処理水の通液方向を変更して、ポンプ３を作動させることで、被処理水タンク１内の被処理水を、被処理水ライン２ａ、第４濃縮水ライン４１ｂ、予備濃縮水ライン８１の順に送り、第２逆浸透膜モジュール２０、第１逆浸透膜モジュール１０の順に通液させて、各逆浸透膜モジュールでろ過するように運転する。
第１逆浸透膜モジュール１０を通液した被処理水は、被処理水ライン２ｂ、第４濃縮水ライン４１ａの順に通液して、被処理水タンク１に戻される。
なお三方弁７１は、ポート７１ｂ及びポート７１ｃを開放し、ポート７１ａを閉じ、三方弁８２のポート８２ａ及びポート８２ｃを開放し、ポート８２ｂを閉じ、三方弁８３のポート８３ｂ及びポート８３ｃを開放し、ポート８３ａを閉じ、三方弁７２のポート７２ａ及びポート７２ｂを開放し、ポート７２ｃを閉じて、ろ過処理運転を行う。
【００７０】
（工程１０）
工程１０は、予備被処理水ライン８０の第２端開口部８０ｂを第２逆浸透膜モジュール２０の第２被処理水入口２０ａから第４逆浸透膜モジュール４０の第４被処理水入口４０ａまでの何れかと接続し、予備濃縮水ライン８１の第２端開口部８１ｂを、第１逆浸透膜モジュール１０の第１濃縮水出口１０ｂから第３逆浸透膜モジュール３０の第３濃縮水出口３０ｂまでの何れかと接続し、且つ通液方向変更具７０により、被処理水の通液方向を変更して、被処理水タンク１内の被処理水を、第４濃縮水ライン４１ｂ及び予備濃縮水ライン８１の少なくとも何れかに通液させて、各逆浸透膜モジュールに被処理水を送り、各逆浸透膜モジュールでろ過する工程である。
【００７１】
図９では、予備被処理水ライン８０の前記第２端開口部８０ｂが第３逆浸透膜モジュール２０の第３被処理水入口３０ａと接続され、予備濃縮水ライン８１の第２端開口部８０ｂが第２逆浸透膜モジュール２０の第２濃縮水出口２０ｂと接続されている。
通液方向変更具７０により、被処理水の通液方向を変更して、ポンプ３を作動させることで、処理水タンク１内の被処理水を、第４濃縮水ライン４１ｂ及び予備濃縮ライン８１の少なくとも何れかに通液させて、各逆浸透膜モジュールでろ過するように運転する。
【００７２】
第４濃縮水ライン４１ｂにのみ通液させる場合、三方弁７１は、ポート７１ｂ及びポート７１ｃを開放し、ポート７１ａを閉じ、三方弁８２のポート８２ａ及びポート８２ｂを開放し、ポート８２ｃを閉じ、三方弁８３のポート８３ａ及びポート８３ｃを開放し、ポート８３ｂを閉じ、三方弁７２のポート７２ａ及びポート７２ｂを開放し、ポート７２ｃを閉じて、ポンプ３を作動させることで、被処理水タンク１の被処理水を、被処理水ライン２ａ、第４濃縮水ライン４１ｂの順に送り、第４逆浸透膜モジュール４０、第３逆浸透膜モジュール３０の順に通液させて、各逆浸透膜モジュールでろ過するように運転する。
第３逆浸透膜モジュール３０を通液した被処理水は、予備被処理水ライン８０、被処理水ライン２ｂ、第４濃縮水ライン４１ａの順に通液して、被処理水タンク１に戻される。
【００７３】
予備濃縮水ライン８１にのみ通液させる場合、三方弁７１は、ポート７１ｂ及びポート７１ｃを開放し、ポート７１ａを閉じ、三方弁８２のポート８２ａ及びポート８２ｃを開放し、ポート８２ｂを閉じ、三方弁８３のポート８３ｂ及びポート８３ｃを開放し、ポート８３ａを閉じ、三方弁７２のポート７２ａ及びポート７２ｂを開放し、ポート７２ｃを閉じて、ポンプ３を作動させることで、被処理水タンク１の被処理水を、被処理水ライン２ａ、第４濃縮水ライン４１ｂ、予備濃縮水ライン８１の順に送り、第２逆浸透膜モジュール２０、第１逆浸透膜モジュール１０の順に通液させて、各逆浸透膜モジュールでろ過するように運転する。
第１逆浸透膜モジュール１０を通液した被処理水は、被処理水ライン２ｂ、第４濃縮水ライン４１ａの順に通液して、被処理水タンク１に戻される。
【００７４】
第４濃縮水ライン４１ｂ及び予備濃縮ライン８１の両方に通液させる場合、三方弁７１のポート７１ｂ及びポート７１ｃを開放し、ポート７１ａを閉じ、三方弁８２の全てのポートを開放し、三方弁８３の全てのポートを開放し、三方弁７２のポート７２ａ及びポート７２ｂを開放し、ポート７２ｃを閉じて、ポンプ３を作動させることで、被処理水タンク１の被処理水を、第４濃縮水ライン４１ｂと予備濃縮ライン８１の両方に送り、各逆浸透膜モジュールに通液させて、各逆浸透膜モジュールでろ過するように運転する。
第３逆浸透膜モジュール３０を通液した被処理水は、予備被処理水ライン８０、被処理水ライン２ｂ、第４濃縮水ライン４１ａの順に通液して、被処理水タンク１に戻され、第１逆浸透膜モジュール１０を通液した被処理水は、被処理水ライン２ｂ、第４濃縮水ライン４１ａの順に通液して、被処理水タンク１に戻される。
【００７５】
図８、９のろ過処理装置は、図１のろ過処理装置、図５のろ過処理装置及び図６、７のろ過処理装置で述べた効果の全てを兼ね備えている。
さらに図８、９のろ過処理装置は、逆浸透膜モジュールの洗浄の際に、予備被処理水ライン８０と予備濃縮水ライン８１の予備ラインを使用し、且つ通液方向を変更して、より小数の逆浸透膜モジュールを選択して洗浄を行うことができるため、管状膜エレメント内の汚れを効果的に除去することができ、洗浄に必要な薬品及び工数を削減することができる。
【００７６】
本発明のろ過処理装置は、汚染水をろ過処理した後の濃縮水の液体排出量をゼロとするＺＬＤ（Zero LiquidDischarge）に使用することができる。
本発明のろ過処理装置をＺＬＤに使用するときは、ろ過処理した後の濃縮水の水分と固形分と分離する蒸発工程を実施する。
本発明のろ過処理装置によりろ過処理をした場合は、濃縮水中の固形分濃度が高められているため、蒸発工程における使用エネルギー量を削減することができるようになるので好ましい。
【実施例】
【００７７】
［実施例１］
図５のろ過処理装置を用いてろ過処理運転を行った。
工程１、２の汚染水の凝集方法については以下の通り行った。
汚染水は、カチオン電着塗装工程により排出される工場排水であり、カチオン電着塗装用樹脂、切削油などの有機成分（ＣＯＤ：７，０００ｐｐｍ）の他、重金属成分として鉛を１０ｐｐｍ含有している。
汚染水タンク１００内の汚染水４００Ｌを、ポンプ１０２を作動させて、撹拌タンク１１０に送り、凝集剤供給装置１１２よりケーユーシステム（株）製アルミ系凝集剤の有効成分が４０ｇ含まれる水溶液を添加し、撹拌機１１１で５分間撹拌混合した後、凝集剤供給装置１１２より多木化学（株）製アニオン系高分子凝集剤の有効成分が８ｇ含まれる水溶液を添加し、撹拌機１１１で５分間撹拌混合して、懸濁液を得た。撹拌を継続しながら、撹拌タンク１１０の底部に接続されている懸濁液引き抜きライン１１３から懸濁液を懸濁液ろ過器１２０に送り、ろ過することで被処理水を得た。懸濁液ろ過器１２０は、懸濁液が通過する筐体内において、容量１００Ｌの目開き１ｍｍの金網を懸濁液がろ過されるように配置されたものを用いた。懸濁液ろ過器１２０を通過した被処理水には除去できなかった微小なフロックも含まれていると思われるが、そのまま工程３、４を行った。
【００７８】
工程３、４の被処理水のろ過方法については以下の通り行った。
逆浸透膜モジュールは、図２、３に示す通り、内径１１．５ｍｍの管状ポリエステル不織布支持体の管内表面に０．２ｍｍの酢酸セルロース逆浸透膜を積層させた長さ２,５００ｍｍの管状膜エレメント６０を、Ｕ字状の接続管６５を介して１８本直列に連結させたものを用いた。
この逆浸透膜モジュールの性能は、膜間圧力２．５ＭＰａでの２,０００ｐｐｍの食塩水溶液の食塩阻止率が８５％以上であり、透過速度は２０〜４０Ｌ／時であった。
この逆浸透膜モジュール４本を、図５の通り接続してろ過処理装置を作成し、工程１，２で得られた被処理水のろ過処理運転を行った。
ろ過処理運転は、被処理水タンク１内の被処理水を、ポンプ３を作動させて、三方弁７１、７２を用いて、３０分ごとに通液方向を変更して、工程３と工程４を繰り返し行いながら工場排水のろ過処理を行った。なお各逆浸透膜モジュールでろ過されたろ過水は、各ろ過水ライン１２、２２、３２、４２からろ過水タンク４に送られ、また各逆浸透膜モジュールを通過した濃縮水は、被処理水タンク１内に戻され、再びろ過処理が行われる。
２８０分のろ過処理運転で、被処理水タンク１内の濃縮液の量は４０Ｌ（１０倍濃縮）となった。
【００７９】
ろ過処理運転中における、被処理水の入口圧力、被処理水の出口圧力、被処理水の出口流量、ろ過水流量、及び被処理水温度は以下の範囲で推移した。
入口圧力（被処理水ライン２ａにて測定）：４．０〜５．０ＭＰａ
出口圧力（濃縮水ライン４１ａにて測定）：２．５〜４．０ＭＰａ
出口流量（濃縮水ライン４１ａにて測定）：２４〜３８Ｌ／分
ろ過水流量（各ろ過水ライン１２、２２、３２、４２の全てが合流する地点にて測定）：１．１〜１．６Ｌ／分
被処理水温度（被処理水タンク１内にて測定）：３２．７〜４７．０℃
【００８０】
ろ過処理運転前の工場排水、ろ過処理運転後のろ過水タンク４内のろ過水について、ＣＯＤ（化学的酸素要求量）と鉛濃度を測定した。結果を表１に示す。
【００８１】
【表１】
2019126767.tif 000003
【００８２】
［比較例１］
実施例１と同様の仕様の図５のろ過処理装置を用いたが、実施例１とは異なり、工程１、２を行わず、実施例１と同じ工場排水４００ｌを被処理水タンク１内に投入し、実施例１と同様の方法で工程３、４を行った。
ろ過処理運転を始めて１０分程度で逆浸透膜モジュールが閉塞し、ろ過処理運転を中断した。
【００８３】
実施例１と比較例１の結果から、有機成分又は重金属成分の含有量が多い汚染水のろ過処理において、工程１、２が必要であることが分かる。また工程２において凝集物をある程度取り除くことができれば、逆浸透膜モジュールを使用したろ過処理において微小なフロックは存在していても問題なく処理できることが明らかになった。
【符号の説明】
【００８４】
１      被処理水タンク
４      ろ過水タンク
１０    第１逆浸透膜モジュール
２０    第２逆浸透膜モジュール
３０    第３逆浸透膜モジュール
４０    第４逆浸透膜モジュール
５０    外部ケーシング
５１    被処理水入口
５２    濃縮水出口
５３    ろ過水出口
６０    管状膜エレメント
７０    通液方向変更具
８０    予備被処理水ライン
８１    予備濃縮水ライン
１００  汚染水タンク
１１０  撹拌タンク
１２０  懸濁液ろ過器
【図１】
2019126767.tif 000004
【図２】
2019126767.tif 000005
【図３】
2019126767.tif 000006
【図４】
2019126767.tif 000007
【図５】
2019126767.tif 000008
【図６】
2019126767.tif 000009
【図７】
2019126767.tif 000010
【図８】
2019126767.tif 000011
【図９】
2019126767.tif 000012